(57)【特許請求の範囲】
【請求項１】
設置対象に形成された配線挿通穴に装着される第１ガイド部材及び第２ガイド部材を備え、前記第１ガイド部材及び第２ガイド部材が、互いの間に軸線方向に貫通する配線挿通空間を画成するようにして前記軸線方向と直交する対向方向に対向され、かつ前記第１、第２ガイド部材の前記軸線方向及び前記対向方向と直交する幅方向における前記配線挿通空間を挟んで両側には、これら第１ガイド部材及び第２ガイド部材どうしを互いに係合する係合手段が設けられた配線ガイド装置において、
前記係合手段が、
前記第１ガイド部材に形成された第１係止部と、
前記第２ガイド部材に形成された第２係止部と、
前記第１、第２ガイド部材の一方に形成された被案内部と、
前記第１、第２ガイド部材の他方に形成され、前記被案内部ひいては前記一方のガイド部材を前記軸線方向の第１相対位置領域から第２相対位置領域へ相対的に案内する案内部と、を含み、
前記第１相対位置領域では、前記第１、第２係止部どうしが前記軸線方向に離れ、かつ前記被案内部と前記案内部どうしが前記軸線方向の任意の相対位置において前記対向方向へ着脱可能に係合し、
前記第２相対位置領域では、前記第１、第２係止部どうしが前記対向方向に相対移動不能に係止されることを特徴とする配線ガイド装置。
【請求項２】
前記案内部が、前記第２ガイド部材に前記軸線方向へ延びるように形成された受入凹部を含み、前記第２係止部が前記受入凹部と前記軸線方向に並ぶように設けられており、
前記第１係止部が、前記被案内部を兼ね、かつ前記受入凹部に対して前記軸線方向に摺動可能かつ前記対向方向に係合解除可能に受け入れられることを特徴とする請求項１に記載の配線ガイド装置。
【請求項３】
前記受入凹部が、前記第２ガイド部材における前記第１ガイド部材と対向する端面と交差するとともに前記幅方向に対して前記第１ガイド部材の側へ傾く案内斜面を有していることを特徴とする請求項２に記載の配線ガイド装置。
【請求項４】
前記案内部が、前記軸線方向において前記受入凹部に連なる係止凹部を含み、
前記第２係止部が、前記係止凹部の内面を画成する係止面を有して前記係止凹部に設けられていることを特徴とする請求項２又は３に記載の配線ガイド装置。
【請求項５】
前記第１相対位置領域では、前記第２係止部が、前記第１係止部に対して前記軸線方向における一方側に離れ、
前記第１ガイド部材の前記軸線方向における前記一方側の端部には径方向外側へ突出する第１鍔部が形成され、前記第１係止部が、前記第１鍔部の周方向の端部から前記対向方向に突出されていることを特徴とする請求項１〜４の何れか１項に記載の配線ガイド装置。
【発明の詳細な説明】
【技術分野】
【０００１】
本発明は、机等の設置対象に形成された配線挿通穴に装着されて、パソコンや電話機等の接続対象に接続される配線をガイドする配線ガイド装置に関し、特に、配線の先端にコネクタやプラグなどの接続ピースが付いており、この接続ピースが当該配線ガイド装置には挿通不能な大きさである場合に適した配線ガイド装置に関する。
【背景技術】
【０００２】
たとえば業務用の机には、上板の隅等に配線挿通穴が設けられているものがある。この配線挿通穴に電源コード、ＬＡＮケーブル、電話線などの配線を通して、机上のパソコンや電話機などに接続する。この場合、机の配線挿通穴には、配線ガイド装置を装着して配線をガイドすることが好ましい。一方、この種の配線の先端には、通常、コネクタやプラグなどの接続ピースが付いている。この接続ピースが配線ガイド装置に挿通不能な大きさである場合、接続ピースを配線から一旦取り外し、配線を配線ガイド装置に挿通したうえで、再び接続ピースを配線に接続するのでは、極めて煩雑であり、かつ或る程度の技能を要する。また、配線によっては接続ピースを分離不能な構造のものもある。
【０００３】
その対策として、例えば特許文献１の配線ガイド装置は、断面コ字状の枠部材と、板状部材とを備えている。枠部材の両端部の内周面には、それぞれ軸線方向に延びる凹溝が形成されている。板状部材の両端面には、それぞれ凸条が軸線方向に延びるように形成されている。先端に大きな接続ピースが設けられた配線を通す場合、板状部材を枠部材から外しておく。そして、枠部材の内部に配線を側方から挿し入れる。その後、板状部材を枠部材に取り付ける。すなわち、板状部材を枠部材の上方に配し、板状部材の凸条を枠部材の凹溝の上端開口から溝の内部に挿し入れながら、板状部材を下方へスライドさせる。これによって、これら枠部材及び板状部材により四角筒形状の配線ガイド装置が形成され、この配線ガイド装置に配線が通された状態になる。
【先行技術文献】
【特許文献】
【０００４】
【特許文献１】実開昭５０−７３６０１号公報
【発明の概要】
【発明が解決しようとする課題】
【０００５】
上掲特許文献１の配線ガイド装置によれば、枠部材と板状部材とを組み付ける際、板状部材の凸条の下端部を枠部材の凹溝の上端開口に厳密と位置合わせしたうえでないと、凸条を凹溝に嵌め込むことができなかった。
【課題を解決するための手段】
【０００６】
上記課題を解決するために、本発明は、机などの設置対象に形成された配線挿通穴に装着される第１ガイド部材及び第２ガイド部材を備え、前記第１ガイド部材及び第２ガイド部材が、互いの間に軸線方向に貫通する配線挿通空間を画成するようにして前記軸線方向と直交する対向方向に対向され、かつ前記第１、第２ガイド部材の前記軸線方向及び前記対向方向と直交する幅方向における前記配線挿通空間を挟んで両側には、これら第１ガイド部材及び第２ガイド部材どうしを互いに係合する係合手段が設けられた配線ガイド装置において、
前記係合手段が、
前記第１ガイド部材に形成された第１係止部と、
前記第２ガイド部材に形成された第２係止部と、
前記第１、第２ガイド部材の一方に形成された被案内部と、
前記第１、第２ガイド部材の他方に形成され、前記被案内部ひいては前記一方のガイド部材を前記軸線方向の第１相対位置領域から第２相対位置領域へ相対的に案内する案内部と、を含み、
前記第１相対位置領域では、前記第１、第２係止部どうしが前記軸線方向に離れ、かつ前記被案内部と前記案内部どうしが前記軸線方向の任意の相対位置において前記対向方向に係合解除可能に係合し、
前記第２相対位置領域では、前記第１、第２係止部どうしが前記対向方向に相対移動不能に係止されることを特徴とする。
この配線ガイド装置を組み立てる際は、まず第１ガイド部材及び第２ガイド部材どうしを、第１相対位置領域内の任意の相対位置になるようにしたうえで前記対向方向に近づけて係合させればよい。これら第１ガイド部材及び第２ガイド部材どうしをはじめから厳密に位置合わせする必要がない。その際、第１ガイド部材及び第２ガイド部材の間に配線を配置しておくことで、配線挿通空間に配線が通された状態にすることができる。続いて、第１ガイド部材及び第２ガイド部材どうしを軸線方向に相対移動させて第２相対位置領域にする。これによって、第１係止部及び第２係止部どうしを係止させることができる。このようにして、配線ガイド装置を簡単に組み立てることができる。配線の先端の接続ピースが配線挿通空間に挿通不能な大きさであっても、配線挿通空間に配線を通した状態にできる。
【０００７】
前記案内部が、前記第２ガイド部材に前記軸線方向へ延びるように形成された受入凹部を含み、前記受入凹部の第２相対位置領域側に前記第２係止部が設けられており、
前記第１係止部が、前記被案内部を兼ね、かつ前記受入凹部に対して前記軸線方向に摺動可能かつ前記対向方向に係合解除可能に受け入れられることが好ましい。
これによって、組み立ての際は、第１係止部を受入凹部の延び方向の任意の位置に嵌め込めばよく、第１、第２ガイド部材どうしを簡単に組み付けることができる。第１係止部が被案内部を兼ねることで、第１係止部とは別の被案内部を第１ガイド部材に設ける必要が無く、第１ガイド部材の構造を簡素化できる。
【０００８】
前記受入凹部が、前記第２ガイド部材における前記第１ガイド部材と対向する端面と交差するとともに前記幅方向に対して前記第１ガイド部材の側へ傾く案内斜面を有していることが好ましい。
これによって、組み立てに際して、第１係止部を受入凹部に嵌めるとき、第１ガイド部材が第２ガイド部材に対して幅方向にずれていた場合、第１係止部が案内斜面に当たって案内されることによって前記ずれを矯正することができる。したがって、第１ガイド部材及び第２ガイド部材をはじめから幅方向に厳密に位置合わせしたうえで第１係止部を受入凹部に嵌め込む必要が無く、組み立て作業を一層簡単化できる。
【０００９】
前記案内部が、前記受入凹部の前記第２相対位置領域側に連なる係止凹部を含み、
前記第２係止部が、前記係止凹部の内面を画成する係止面を有して前記係止凹部に設けられていることが好ましい。
これによって、第１係止部を、受入凹部から係止凹部へ案内することで第２係止部にスムーズに係止することができる。また、第２係止部が案内部の内部に設けられるため、配線ガイド装置をコンパクトにできる。
前記係止面は、前記第２ガイド部材における前記端面と交差するとともに前記幅方向に対して前記第１ガイド部材とは反対側へ傾いていることが好ましい。
【００１０】
前記第１ガイド部材の第２相対位置領域側の端部には径方向外側へ突出する第１鍔部が形成され、前記第１係止部が、前記第１鍔部の周方向の端部から前記対向方向に突出されていることが好ましい。
第１鍔部を机などの設置対象の表側面に引っ掛けることで、配線ガイド装置を配線挿通穴に安定的に装着できる。この第１鍔部に第１係止部を設けることによって、第１係止部が、前記装着の邪魔になったり、配線をガイドする邪魔になったりするのを回避できる。また、第１係止部は、配線挿通穴内に配置されることがないから、寸法を大きくして強度を確保できる。
更に、前記第２ガイド部材の前記軸線方向の一端部には径方向外側へ突出する第２鍔部が形成され、前記第２鍔部の周方向の端部には前記第１係止部と前記軸線方向に突き当たるストッパ部が形成されていることが好ましい。これによって、第１係止部の第２相対位置領域における終端位置を規制して、第１ガイド部材及び第２ガイド部材どうしの軸線方向の位置を揃えることができる。
【発明の効果】
【００１１】
本発明によれば、コードやケーブルなどの配線を配線挿通空間に通した状態で、配線ガイド装置を簡単に組み立てることができる。
【図面の簡単な説明】
【００１２】
【図１】図１（ａ）は、本発明の一実施形態に係る配線ガイド装置を装着した机を、上記配線ガイド装置にＬＡＮケーブル（配線）を通し、かつパソコン未接続の状態で示す斜視図である。図１（ｂ）は、上記机を、上記ＬＡＮケーブルに接続対象のパソコンを接続した状態で示す斜視図である。
【図２】図２（ａ）は、上記配線ガイド装置を斜め上から見た斜視図である。図２（ｂ）は、上記配線ガイド装置を斜め下から見た斜視図である。
【図３】図３（ａ）は、上記配線ガイド装置の第１ガイド部材を斜め上から見た斜視図である。図３（ｂ）は、上記第１ガイド部材を斜め下から見た斜視図である。
【図４】図４（ａ）は、上記配線ガイド装置の第２ガイド部材を斜め上から見た斜視図である。図４（ｂ）は、上記第２ガイド部材の一部分を斜め下から見た斜視図である。
【図５】図５（ａ）は、同図（ｂ）のＶａ−Ｖａ線に沿う、上記配線ガイド装置の正面図である。図５（ｂ）は、同図（ａ）のＶｂ−Ｖｂ線に沿う、上記配線ガイド装置の側面図である。両図ともに机の上板を二点鎖線にて示す。
【図６】図６（ａ）は、図５（ａ）のＶＩａ−ＶＩａに沿う、上記配線ガイド装置の断面図である。図６（ｂ）は、図６（ａ）の円部ＶＩｂを拡大して示す断面図である。
【図７】図７（ａ）は、図５（ａ）のＶＩＩａ−ＶＩＩａに沿う、上記配線ガイド装置の断面図である。図７（ｂ）は、図７（ａ）の円部ＶＩＩｂを拡大して示す断面図である。
【図８】図８は、上記配線ガイド装置を机に取り付ける操作の途中までの工程を示し、図８（ａ）は、上記第１ガイド部材及び第２ガイド部材を離して、かつ間にＬＡＮケーブルを挟んで対向させた状態の斜視図である。図８（ｂ）は、図８（ａ）の状態の正面断面図である。図８（ｃ）は、第１ガイド部材及び第２ガイド部材を第１相対位置領域内において係合させた状態の斜視図である。図８（ｄ）は、図８（ｃ）の状態の正面断面図である。図８（ｅ）は、第１ガイド部材及び第２ガイド部材の相対位置を第２相対位置領域にした状態の斜視図である。
【図９】図９は、第１ガイド部材及び第２ガイド部材を第１相対位置領域内において係合させる際に、これら第１、第２ガイド部材どうしが幅方向に少しずれていた場合の途中段階における、図１０（ａ）の円部Ｘｂに相当する部分を拡大して示す断面図である。
【図１０】図１０（ａ）は、図８（ｄ）のＸａ−Ｘａ線に沿う、上記第１、第２ガイド部材の断面図である。図１０（ｂ）は、図１０（ａ）の円部Ｘｂを拡大して示す断面図である。
【図１１】図１１（ａ）は、図８（ｅ）のＸＩａ−ＸＩａ線に沿う、上記第１、第２ガイド部材の断面図である。図１１（ｂ）は、図１１（ａ）の円部ＸＩｂを拡大して示す断面図である。
【図１２】図１２は、上記配線ガイド装置を机に取り付ける操作の図８以降の工程を示し、図１２（ａ）は、配線ガイド装置の組立を完了した状態の斜視図である。図１２（ｂ）は、図１２（ａ）の状態の正面断面図である。図１２（ｃ）は、上記配線ガイド装置を机の配線挿通穴に装着した状態の斜視図である。図１２（ｄ）は、図１２（ｃ）の状態の正面断面図である。
【発明を実施するための形態】
【００１３】
以下、本発明の一実施形態を図面にしたがって説明する。
図１（ａ）及び図１２（ｄ）に示すように、机２（設置対象）の上板２ａに配線挿通穴２ｂが形成されている。配線挿通穴２ｂは、上板２ａを上下に貫通している。この配線挿通穴２ｂに配線ガイド装置１が装着されている。配線ガイド装置１ひいては配線挿通穴２ｂに、たとえばＬＡＮケーブル３（配線）が通されている。ＬＡＮケーブル３の先端にはコネクタ３ｃ（接続ピース）が設けられている。図１（ｂ）に示すように、コネクタ３ｃがパソコン４（接続対象）に接続されている。
【００１４】
図２に示すように、配線ガイド装置１は、ガイド本体１ｘと、鍔１ｆとを含む。ガイド本体１ｘは、軸線方向Ｚを上下に向けた円筒状になっている。このガイド本体１ｘが配線挿通穴２ｂ内に挿入されている。ガイド本体１ｘの内部が配線挿通空間１ａとなっている。配線挿通空間１ａは、配線ガイド装置１の軸線方向Ｚの両端（上端及び下端）に開口されている。図１２（ｃ）に示すように、この配線挿通空間１ａにＬＡＮケーブル３が挿通される。配線挿通空間１ａは、ＬＡＮケーブル３より大径かつコネクタ３ｃより小径である。したがって、配線ガイド装置１を組んだ状態では、コネクタ３ｃを配線挿通空間１ａに挿通できない。
【００１５】
図２に示すように、ガイド本体１ｘの上端部（軸線方向Ｚの一端部）に鍔１ｆが設けられている。鍔１ｆは、ガイド本体１ｘから径方向外側へ突出されるとともに配線ガイド装置１の全周にわたる環状になっている。図５に示すように、この鍔１ｆが、机２の上板２ａにおける配線挿通穴２ｂの周縁部に引っ掛けられている。
【００１６】
図８（ａ）に示すように、配線ガイド装置１は、周方向に２つのガイド部材１０，２０に分割されている。すなわち、配線ガイド装置１は、第１ガイド部材１０と、第２ガイド部材２０とを備えている。第１ガイド部材１０及び第２ガイド部材２０は、対向方向Ｘ（軸線方向Ｚと直交する方向）に対向される。
【００１７】
図３に示すように、第１ガイド部材１０は、第１本体部１１と、第１鍔部１２とを有している。第１本体部１１は、半割筒状になっている。第１本体部１１の上端部（第２相対位置領域側の端部）に第１鍔部１２が一体に設けられている。第１鍔部１２は、第１本体部１１から径方向外側へ突出されるとともに第１鍔部１２の周方向に沿う半環状になっている。
【００１８】
図４に示すように、第２ガイド部材２０は、第２本体部２１と、第２鍔部２２とを有している。第２本体部２１は、半割筒状になっている。第２本体部２１の上端部に第２鍔部２２が一体に設けられている。第２鍔部２２は、第２本体部２１から径方向外側へ突出されるとともに第２本体部２１の周方向に沿う半環状になっている。
【００１９】
図２に示すように、第１ガイド部材１０及び第２ガイド部材２０は、対向方向Ｘ（軸線方向Ｚと直交する方向）に対向される。第１本体部１１と第２本体部２１とが、互いに組み合わさることによって上記円筒状のガイド本体１ｘになり、その内部（第１、第２ガイド部材１０，２０どうしの間）に上記配線挿通空間１ａが画成される。また、第１鍔部１２と第２鍔部２２とが、互いに組み合わさることによって上記円環状の鍔１ｆになる。
【００２０】
図５（ｂ）に示すように、第１ガイド部材１０及び第２ガイド部材２０の幅方向Ｗ（軸線方向Ｚ及び対向方向Ｘと直交する方向）における配線挿通空間１ａを挟んで両側には、それぞれ係合手段１ｃが設けられている。これら係合手段１ｃ，１ｃを介して第１ガイド部材１０と第２ガイド部材２０とが互いに軸線方向Ｚへ相対移動可能かつ対向方向Ｘへ分離可能に係合されている。
【００２１】
図２に示すように、係合手段１ｃは、第１係止部１３と、第２係止部２３と、案内部２４とを含む。第１係止部１３は、第１ガイド部材１０（一方のガイド部材）に設けられており、案内部２４に対する被案内部を兼ねている。第２係止部２３及び案内部２４は、第２ガイド部材２０（他方のガイド部材）に設けられている。案内部２４によって、第１係止部１３（被案内部）ひいては第１ガイド部材１０が、第２ガイド部材２０に対して軸線方向Ｚの第１相対位置領域から第２相対位置領域へ相対的に案内可能になっている。
【００２２】
図８（ｄ）に示すように、第１相対位置領域とは、第１係止部１３と第２ガイド部材２０の下側部分とが対応するような、ガイド部材１０，２０どうしの相対位置領域を言う。この第１相対位置領域では、係止部１３．２３どうしが軸線方向Ｚに離れ、かつ第１係止部１３（被案内部）と案内部２４どうしが軸線方向Ｚの任意の相対位置において対向方向Ｘに係合解除可能に係合される。
【００２３】
図８（ｅ）及び図１２（ｂ）に示すように、第２相対位置領域とは、第１係止部１３と２ガイド部材２０の上側部分とが対応するような、ガイド部材１０，２０どうしの相対位置領域を言う。第２相対位置領域では、係止部１３，２３どうしが、対向方向Ｘに相対移動不能に係止され、好ましくは軸線方向Ｚに相対移動可能かつ対向方向Ｘ及び幅方向Ｗに相対移動不能に係止される。
【００２４】
詳述すると、図３に示すように、第１ガイド部材１０の第１鍔部１２の周方向の両端部には、第１係止部１３，１３が一体に設けられている。各第１係止部１３は、第１鍔部１２の端部から対向方向Ｘへ突出され、ひいては第１本体部１１の周方向の端面１１ｅよりも対向方向Ｘに突出されている。第１係止部１３の上面は、第１鍔部１２の上面よりも凹んでおり、そこに第１陥入凹部１３ｇが形成されている。第１係止部１３の下面は、第１鍔部１２の下面と面一になっている。
【００２５】
図３（ａ）に示すように、第１係止部１３の幅方向Ｗの内側の縁は、係止縁１３ａを構成している。図６（ｂ）に示すように、係止縁１３ａは、第１本体部１１の外周面１１ａと端面１１ｅとの角と対応する径方向位置から第１係止部１３の先端縁１３ｅへ延びるとともに、先端縁１３ｅに近づくにしたがって幅方向Ｗの内側へ傾く斜面になっている。係止縁１３ａと先端縁１３ｅとは、丸味を帯びた角部１３ｃを介して滑らかに連続している。
【００２６】
図４に示すように、第２ガイド部材２０の第２本体部２１の周方向の両端部には、それぞれ外周面２１から凹む凹溝が形成されており、この凹溝が案内部２４を構成している。案内部２４は、第２本体部２１の端面２１ｅに達するとともに該端面２１ｅに沿って軸線方向Ｚへ延びている。第２本体部２１の外周面２１ａと案内部２４との間は、段差２４ｄになっている。案内部２４における軸線方向Ｚの中間部２４ｃから下側の部分は、受入凹部２５を構成し、中間部２４ｃから上側の部分は、係止凹部２６を構成している。なお、中間部２４ｃは、第２ガイド部材２０の軸線方向Ｚのちょうど中央よりも上側に偏って位置している。したがって、受入凹部２５が、係止凹部２６よりも軸線方向Ｚに長い。
【００２７】
図４及び図６に示すように、受入凹部２５は、幅方向Ｗの外側を向く案内斜面２５ａと、段差２４ｄにおける中間部２４ｃより下側の段差部２５ｄとによって画成され、軸線方向Ｚ（図６（ａ）及び（ｂ）において紙面と直交する方向）に延びている。受入凹部２５の上端部は中間部２４ｃに位置し、受入凹部２５の下端部は第２本体部２１の下端に達している。
【００２８】
図４（ａ）に示すように、案内斜面２５ａは、中間部２４ｃから軸線方向Ｚに第２本体部２１の下端まで及ぶとともに、段差部２５ｄから端面２１ｅまで及び、端面２１ｅと交差している。しかも、図６（ｂ）に示すように、案内斜面２５ａは、幅方向Ｗに対して第１ガイド部材１０側へ若干傾けられている。つまり、案内斜面２５ａは、端面２１ｅに向かうにしたがって幅方向Ｗの内側へ傾く斜面になっている。したがって、第２ガイド部材２０の受入凹部２５における厚さは、端面２１ｅに向かって先細になっている。段差部２５ｄは、丸味を帯びて案内斜面２５ａに滑らかに連なっている。
【００２９】
図４及び図７に示すように、第２ガイド部材２０における受入凹部２５の上側（第２相対位置領域側）に第２係止部２３が配置されている。第２係止部２３は、係止凹部２６の内部において隆起するように設けられている。図７（ｂ）に示すように、第２係止部２３は、幅方向Ｗの外側を向く係止面２３ａを有している。この係止面２３ａと、段差２４ｄにおける中間部２４ｃより上側の段差部２６ｄとによって、係止凹部２６の内面が画成されている。
【００３０】
図４及び図７に示すように、係止面２３ａは、中間部２４ｃから軸線方向Ｚに第２鍔部２２まで及ぶとともに、段差部２６ｄから端面２１ｅまで及び、端面２１ｅと交差している。しかも、係止面２３ａは、幅方向Ｗに対して第１ガイド部材１０とは反対側（すなわち第２本体部２１側）へ若干傾けられている。つまり、係止面２３ａは、端面２１ｅに向かうにしたがって幅方向Ｗの外側へ傾く斜面になっている。したがって、第２係止部２３における第２ガイド部材２０の厚さは、端面２１ｅに向かって漸増されている。図４（ｂ）に示すように、係止面２３ａの下端面と案内斜面２５ａの上端面との間には、三角形状の段差２４ｆが形成されている。
【００３１】
図４（ｂ）及び図７（ｂ）に示すように、第２ガイド部材２０の外周面２１ａと係止面２３ａとの間の段差部２６ｄは、丸味を帯びて係止面２３ａに滑らかに連なっている。また、段差部２６ｄは、下側の段差部２５ｄと軸線方向Ｚに連続している。
【００３２】
図４（ｂ）に示すように、第２鍔部２２の周方向の両端部には、ストッパ部２２Ｓが形成されている。ストッパ部２２Ｓの下面は、第２鍔部２２の下面よりも上方へ凹み、そこに第２陥入凹部２２ｇが形成されている。係止面２３ａの上端部が、第２陥入凹部２２ｇ内へ延び、ストッパ部２２Ｓの下面と交差している。
【００３３】
図５（ａ）に示すように、配線ガイド装置１の組状態では、第１係止部１３が第２陥入凹部２２ｇに嵌り、かつストッパ部２２Ｓが第１陥入凹部１３ｇに嵌っている。これにより、第１鍔部１２と第２鍔部２２とが、幅方向Ｗの両側の第１係止部１３及びストッパ部２２Ｓを介して連なることで、環状の鍔１ｆが構成されている。第１係止部１３及びストッパ部２２Ｓは、鍔１ｆの内部に収まっている。
また、第２係止部２３及び案内部２４は、ガイド本体１ｘの内部（外周面と内周面との間）に収まっている。
【００３４】
配線ガイド装置１は、次のようにして組み立てられ、かつ机２に設置される。
図８（ａ）及び（ｂ）に示すように、第１ガイド部材１０及び第２ガイド部材２０の間にＬＡＮケーブル３を挟むようにして、これら第１ガイド部材１０及び第２ガイド部材２０どうしを対向させる。また、第１ガイド部材１０を第２ガイド部材２０に対して軸線方向Ｚの下方にずらし、第１係止部１３を第２ガイド部材２０の中間部２４ｃと下端部との間の高さに位置させる。その状態で、第１ガイド部材１０及び第２ガイド部材２０どうしを対向方向Ｘに接近させる。すると、図８（ｃ）及び（ｄ）に示すように、第１ガイド部材１０の幅方向Ｗの両側の第１係止部１３，１３が、それぞれ対応する受入凹部２５に受け入れられる。受入凹部２５の軸線方向Ｚの任意の位置に第１係止部１３が入り込むようにすればよいから、第１ガイド部材１０及び第２ガイド部材２０どうしを軸線方向Ｚに厳密に位置合わせしたうえで互いに対向方向Ｘに接近させる必要がなく、第１ガイド部材１０及び第２ガイド部材２０どうしの位置合わせを簡単化できる。
【００３５】
ここで、図９の実線に示すように、第１ガイド部材１０及び第２ガイド部材２０どうしを対向方向Ｘに接近させる際、第１ガイド部材１０が第２ガイド部材２０に対して幅方向Ｗにずれていたときは、第１ガイド部材１０の幅方向Ｗの両側の第１係止部１３，１３のうち、何れか片方の第１係止部１３の角部１３ｃが、対応する案内斜面２５ａに当たる。図９の二点鎖線に示すように、そこから第１ガイド部材１０及び第２ガイド部材２０を対向方向Ｘに更に接近させていくと、上記第１係止部１３が案内斜面２５ａに案内されることによって第１ガイド部材１０が幅方向Ｗに変位される。これによって、第１ガイド部材１０の幅方向Ｗへのずれが矯正される。したがって、第１ガイド部材１０及び第２ガイド部材２０どうしをはじめから幅方向Ｗに厳密に位置合わせする必要がなく、第１ガイド部材１０及び第２ガイド部材２０どうしの位置合わせを一層簡単化できる。
【００３６】
やがて、図１０（ａ）及び（ｂ）に示すように、第１係止部１３の角部１３ｃが段差部２５ｄに当たる。若しくは、端面１１ｅ，２１ｅどうしが突き当たる。さらには、係止縁１３ａが案内斜面２５ａに宛がわれる。これによって、第１ガイド部材１０及び第２ガイド部材２０が、第１相対位置領域における係合状態になり、軸線方向Ｚの任意の相対位置において対向方向Ｘへ係合解除可能に係合される。このとき、第１係止部１３は、受入凹部２５に対して軸線方向Ｚへ摺動可能かつ対向方向Ｘへ着脱可能である。また、一対の第１係止部１３，１３が第２ガイド部材２０を幅方向Ｗの両側から挟むことによって、第１、第２ガイド部材１０，２０どうしが幅方向Ｗに相対移動不能になる。
【００３７】
続いて、第１ガイド部材１０を第２ガイド部材２０に対して軸線方向Ｚの上方へ相対移動させる。このとき、第１係止部１３の角部１３ｃと案内部２３の段差部２５ｄとが摺擦しながら、若しくは端面１１ｅ，端面２１ｅどうしが摺擦しながら、第１係止部１３が案内部２４に沿って軸線方向Ｚへ案内される。そして、図８（ｅ）に示すように、第１係止部１３が受入凹部２５から係止凹部２６に導入されることによって、ガイド部材１０，２０どうしが第２相対位置領域における係合状態に移行する。このとき、段差部２５ｄと段差部２６ｄどうしが軸線方向Ｚに面一に連続しているため、第１係止部１３を受入凹部２５から係止凹部２６に確実にスムーズに移行させることができる。また、第１係止部１３が、三角段差２４ｆに引っ掛かるのを回避できる。
【００３８】
図１１（ａ）及び（ｂ）に示すように、第１係止部１３が係止凹部２６に入ると、係止縁１３ａと係止面２３ａとの当たりによって、第１係止部１３と第２係止部２３とが対向方向Ｘに離間不能（相対移動不能）に係止でき、ひいては、第１ガイド部材１０及び第２ガイド部材２０どうしを対向方向Ｘに抜け止めできる。また、第１、第２ガイド部材１０，２０どうしが幅方向Ｗに相対移動不能かつ軸線方向Ｚに相対移動可能である点は、第１相対位置領域のときと同様である。
【００３９】
さらに、第１ガイド部材１０を第２ガイド部材２０に対して軸線方向Ｚの上方へ相対移動させる。すると、図１２（ａ）及び（ｂ）に示すように、第１係止部１３がストッパ部２２Ｓに突き当たる。これによって、第１ガイド部材１０の第２ガイド部材２０に対する上方へのスライド位置が規制されるとともに、第１ガイド部材１０及び第２ガイド部材２０どうしが軸線方向Ｚに揃う。このようにして、配線ガイド装置１を簡単に組み立てることができ、かつ配線挿通空間１ａにＬＡＮケーブル３を通した状態にすることができる。コネクタ３ｃが配線挿通空間１ａより大きくても、配線挿通空間１ａにＬＡＮケーブル３を通した状態にすることができる。
【００４０】
続いて、図１２（ｃ）及び（ｄ）に示すように、配線ガイド装置１のガイド本体１ｘを机２の上方から配線挿通穴２ｂに挿入する。そして、鍔１ｆを机２の上面に引っ掛ける。これによって、配線ガイド装置１を机２に支持できる。第１鍔部１２及び第２鍔部２２の下面が第１係止部１３の下面を介して段差なく連なることで、これらの下面を机２の上面にぴったり当接させることができ、配線ガイド装置１を安定させることができる。この配線ガイド装置１によってＬＡＮケーブル３をガイドできる。図１（ｂ）に示すように、ＬＡＮケーブル３を配線挿通穴２ｂから引き出す際などには、配線ガイド装置１によってＬＡＮケーブル３が痛まないように保護できる。
【００４１】
配線ガイド装置１によれば、第１係止部１３が鍔１ｆ内に収まり、第２係止部２３が係止凹部２６内に収まっているから、これら係止部１３，２３が、配線ガイド装置１を配線挿通穴２ｂに装着する際の邪魔になることはなく、ＬＡＮケーブル３に引っ掛かることもない。
第１係止部１３は、配線挿通穴２ｂ内に配置されることがないから、寸法を大きくして強度を確保できる。
また、第１係止部１３が案内部２３に対する被案内部を兼ねているから、第１係止部１３とは別の被案内部を第１ガイド部材１０に設ける必要が無い。したがって、第１ガイド部材１０の構造を簡素化できる。
【００４２】
本発明は、上記の実施形態に限定されるものではなく、発明の趣旨に反しない限りにおいて種々の改変をなすことができる。
例えば、配線ガイド装置１の形状は任意に改変でき、円筒形状に限られず、例えば角筒形状などであってもよい。
第１係止部１３が軸線方向Ｚに突出する凸部であり、第２係止部２３が軸線方向Ｚに凹んだ凹部又は孔部であってもよい。第１係止部１３が凹部であり、第２係止部２３が凸部であってもよい。
第２係止部２３が、案内部２４の内部にではなく、案内部２４から離れて設けられていてもよい。
案内部２４が、第２ガイド部材２０の外周部に代えて内周部に設けられていてもよく、第１係止部１３（被案内部）が第２ガイド部材１０の内周側に受け入れられるようになっていてもよい。この場合の案内斜面２５ａは、端面２１ｅに向かうにしたがって幅方向Ｗの外側へ傾いていることが好ましい。
受入凹部２５が第２本体部２１の上側部に設けられ、第２係止部２３及び係止凹部２６が第２本体部２１の下側部に設けられていてもよい。第１ガイド部材１０を第２ガイド部材２０に対して下方へスライドさせることで、ガイド部材１０，２０どうしが第１相対位置領域から第２相対位置領域へ移行するようになっていてもよい。
第１係止部１３が被案内部を兼ねておらず、第１ガイド部材１０に、第１係止部１３とは別の被案内部が設けられていてもよい。
第１ガイド部材１０に案内部が軸線方向Ｚへ延びるように形成され、第２ガイド部材２０に被案内部が設けられていてもよい。
案内部が軸線方向Ｚへ延びる凸条部であり、被案内部が、上記凸条部に対して対向方向Ｘに着脱可能に嵌る凹部であってもよい。
一対の係合手段１ｃ，１ｃは、必ずしも対称である必要はない。例えば、片側の係合手段１ｃについては上記実施形態と同様に構成されているのに対して、反対側の係合手段１ｃについては、第２ガイド部材２０に、係止部１３と同様の凸部が形成され、この凸部が被案内部を兼ねた第２係止部となっており、かつ第１ガイド部材１０に、案内部２４と同様の凹溝状の案内部が形成され、この案内部の内部に係止部２３と同様の隆起状の第１係止部が形成されていてもよい。
配線ガイド装置１の設置対象は、机２に限られず、台、棚、壁等であってもよい。
配線ガイド装置１の設置面は、上向きの水平面に限られず、鉛直面であってもよく、斜面であってもよい。
配線は、ＬＡＮケーブル３に限られず、電源コード、電話線などであってもよい。
配線の接続対象は、パソコン４に限られず、電話機、プリンター、その他の各種機器であってもよい。
【産業上の利用可能性】
【００４３】
本発明は、例えば事務用机の配線挿通穴に設けられる配線ガイドに適用可能である。
【符号の説明】
【００４４】
Ｗ      幅方向
Ｘ      対向方向
Ｚ      軸線方向
１      配線ガイド装置
１ａ    配線挿通空間
１ｃ    係合手段
２      机（設置対象）
２ｂ    配線挿通穴
１０    第１ガイド部材（一方のガイド部材）
１１    第１本体部
１２    第１鍔部
１３    第１係止部（被案内部）
２０    第２ガイド部材（他方のガイド部材）
２１ｅ  端面（第１ガイド部材と対向する端面）
２３    第２係止部
２３ａ  係止面
２４    案内部
２５    受入凹部
２５ａ  案内斜面
２６    係止凹部
【図１】
0005986142.tif 000002
【図２】
0005986142.tif 000003
【図３】
0005986142.tif 000004
【図４】
0005986142.tif 000005
【図５】
0005986142.tif 000006
【図６】
0005986142.tif 000007
【図７】
0005986142.tif 000008
【図８】
0005986142.tif 000009
【図９】
0005986142.tif 000010
【図１０】
0005986142.tif 000011
【図１１】
0005986142.tif 000012
【図１２】
0005986142.tif 000013